【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
入力画像データに基づいて符号化データを出力する情報処理装置において、
前記入力画像データを、学習により求められた係数に基づく演算処理により、入力画像データが符号化された後、更に復号されたとき、生成されることが予測される予測画像データに変換する変換手段と、
前記予測画像データを符号化する符号化手段と、
前記符号化手段により符号化された前記予測画像データを符号化データとして出力する出力手段と
を備えることを特徴とする情報処理装置。
【請求項２】
前記係数は、予め複数の学習用画像データと、前記学習用画像データを符号化した後、更に復号することにより生成される復号画像データに基づいた学習により求められた係数である
ことを特徴とする請求項１に記載の情報処理装置。
【請求項３】
前記係数は、予め複数の学習用画像データと、前記学習用画像データを符号化した後、更に復号することにより生成される復号画像データに基づいて、前記入力画像データの特徴量毎に学習された、前記特徴量毎の複数の係数である
ことを特徴とする請求項２に記載の情報処理装置。
【請求項４】
前記特徴量は、前記学習用画像データのアクティビティである
ことを特徴とする請求項３に記載の情報処理装置。
【請求項５】
前記符号化手段は、前記予測画像データに対してフラクタル符号化処理を行うことで符号化する
ことを特徴とする請求項１に記載の情報処理装置。
【請求項６】
入力画像データに基づいて符号化データを出力する情報処理装置の情報処理方法において、
前記入力画像データを、学習により求められた係数に基づく演算処理により、入力画像データが符号化された後、更に復号されたとき、生成されることが予測される予測画像データに変換する変換ステップと、
前記予測画像データを符号化する符号化ステップと、
前記符号化ステップの処理で符号化された前記予測画像データを符号化データとして出力する出力ステップと
を含むことを特徴とする情報処理方法。
【請求項７】
入力画像データに基づいて符号化データを出力する情報処理装置を制御するプログラムであって、
前記入力画像データの、学習により求められた係数に基づく演算処理により、入力画像データが符号化された後、更に復号されたとき、生成されることが予測される予測画像データへの変換を制御する変換制御ステップと、
前記予測画像データの符号化を制御する符号化制御ステップと、
前記符号化制御ステップの処理で符号化された前記予測画像データの符号化データとしての出力を制御する出力制御ステップと
を含むことを特徴とするコンピュータが読み取り可能なプログラムが記録されている記録媒体。
【請求項８】
入力画像データに基づいて符号化データを出力する情報処理装置を制御するコンピュータに、
前記入力画像データの、学習により求められた係数に基づく演算処理により、入力画像データが符号化された後、更に復号されたとき、生成されることが予測される予測画像データへの変換を制御する変換制御ステップと、
前記予測画像データの符号化を制御する符号化制御ステップと、
前記符号化制御ステップの処理で符号化された前記予測画像データの符号化データとしての出力を制御する出力制御ステップと
を実行させるプログラム。
【請求項９】
入力画像データに基づいて符号化データを出力する情報処理装置において、
前記入力画像データを、学習により求められた係数に基づく演算処理により、入力画像データが符号化された後、更に復号されたとき、生成されることが予測される予測画像データに変換する変換手段と、
前記入力画像データと前記予測画像データとの差分データを演算する差分演算手段と、
前記差分演算手段により演算された前記差分データと、前記予測画像データとを前記入力画像データの符号化データとして出力する出力手段と
を備えることを特徴とする情報処理装置。
【請求項１０】
前記差分データを量子化する量子化手段をさらに備え、
前記出力手段は、前記量子化手段により量子化された差分データと、前記予測画像データとを前記入力データの符号化データとして出力する
ことを特徴とする請求項９に記載の情報処理装置。
【請求項１１】
前記予測画像データを符号化する符号化手段をさらに備え、
前記出力手段は、前記量子化手段により量子化された差分データと、符号化された前記予測画像データとを前記入力データの符号化データとして出力する
ことを特徴とする請求項１０に記載の情報処理装置
【請求項１２】
前記係数は、予め学習用画像データと、前記学習用画像データを符号化した後、更に復号することにより生成される復号画像データに基づいた学習により求められた係数である
ことを特徴とする請求項９に記載の情報処理装置。
【請求項１３】
前記係数は、学習用画像データと、前記入力画像データを符号化した後、復号することにより生成される復号画像データに基づいて、前記学習用画像データの特徴量毎に学習された、前記特徴量毎の複数の係数である
ことを特徴とする請求項１２に記載の情報処理装置。
【請求項１４】
前記特徴量は、前記入力画像データのアクティビティである
ことを特徴とする請求項１３に記載の情報処理装置。
【請求項１５】
前記符号化手段は、前記予測画像データに対してフラクタル符号化処理を実行することにより符号化する
ことを特徴とする請求項９に記載の情報処理装置。
【請求項１６】
入力画像データに基づいて符号化データを出力する情報処理装置の情報処理方法において、
前記入力画像データを、学習により求められた係数に基づく演算処理により、入力画像データが符号化された後、更に復号されたとき、生成されることが予測される予測画像データに変換する変換ステップと、
前記入力画像データと前記予測画像データとの差分データを演算する差分演算ステップと、
前記差分演算ステップの処理で演算された前記差分データと、前記予測画像データとを前記入力画像データの符号化データとして出力する出力ステップと
を含むことを特徴とする情報処理方法。
【請求項１７】
入力画像データに基づいて符号化データを出力する情報処理装置を制御するプログラムであって、
前記入力画像データの、学習により求められた係数に基づく演算処理により、入力画像データが符号化された後、更に復号されたとき、生成されることが予測される予測画像データへの変換を制御する変換制御ステップと、
前記入力画像データと前記予測画像データとの差分データの演算を制御する差分演算制御ステップと、
前記差分演算制御ステップの処理で演算された前記差分データと、前記予測画像データとの前記入力画像データの符号化データとしての出力を制御する出力制御ステップと
を含むことを特徴とするコンピュータが読み取り可能なプログラムが記録されている記録媒体。
【請求項１８】
入力画像データに基づいて符号化データを出力する情報処理装置を制御するコンピュータに、
前記入力画像データの、学習により求められた係数に基づく演算処理により、入力画像データが符号化された後、更に復号されたとき、生成されることが予測される予測画像データへの変換を制御する変換制御ステップと、
前記入力画像データと前記予測画像データとの差分データの演算を制御する差分演算制御ステップと、
前記差分演算制御ステップの処理で演算された前記差分データと、前記予測画像データとの前記入力画像データの符号化データとしての出力を制御する出力制御ステップと
を実行させるプログラム。
【請求項１９】
画像データに演算処理を施す際に使用される係数を生成する情報処理装置において、
学習用画像データを符号化する符号化手段と、
前記符号化手段により符号化された学習用画像データを復号画像データに復号する復号手段と、
前記学習用画像データと前記復号画像データの関係を学習することにより、前記入力画像データを前記復号画像データに変換する演算処理を施す際に使用される係数を生成する係数生成手段と
を備えることを特徴とする情報処理装置。
【請求項２０】
前記符号化手段は、前記予測画像データに対してフラクタル符号化処理を行うことで符号化し、
前記復号手段は、前記予測画像データに対してフラクタル復号処理を行うことにより、前記符号化手段により符号化された学習用画像データを復号画像データに復号する
ことを特徴とする請求項１９に記載の情報処理装置。
【請求項２１】
画像データに演算処理を施す際に使用される係数を生成する情報処理装置の情報処理方法において、
学習用画像データを符号化する符号化ステップと、
前記符号化ステップの処理で符号化された学習用画像データを復号画像データに復号する復号ステップと、
前記学習用画像データと前記復号画像データの関係を学習することにより、前記入力画像データを前記復号画像データに変換する演算処理を施す際に使用される係数を生成する係数生成ステップと
を含むことを特徴とする情報処理方法。
【請求項２２】
画像データに演算処理を施す際に使用される係数を生成する情報処理装置を制御するプログラムであって、
学習用画像データの符号化を制御する符号化制御ステップと、
前記符号化制御ステップの処理で符号化された学習用画像データの復号画像データへの復号を制御する復号制御ステップと、
前記学習用画像データと前記復号画像データの関係を学習することにより、前記入力画像データの前記復号画像データへの変換の演算処理を施す際に使用される係数の生成を制御する係数生成制御ステップと
を含むことを特徴とするコンピュータが読み取り可能なプログラムが記録されている記録媒体。
【請求項２３】
画像データに演算処理を施す際に使用される係数を生成する情報処理装置を制御するコンピュータに、
学習用画像データの符号化を制御する符号化制御ステップと、
前記符号化制御ステップの処理で符号化された学習用画像データの復号画像データへの復号を制御する復号制御ステップと、
前記学習用画像データと前記復号画像データの関係を学習することにより、前記入力画像データの前記復号画像データへの変換の演算処理を施す際に使用される係数の生成を制御する係数生成制御ステップと
を実行させるプログラム。
【手続補正２】
【補正対象書類名】明細書
【補正対象項目名】００２２
【補正方法】変更
【補正の内容】
【００２２】
前記差分データを量子化する量子化手段をさらに設けるようにさせることができ、出力手段には、量子化手段により量子化された差分データと、予測画像データとを入力データの符号化データとして出力させるようにすることができる。
前記予測画像データを符号化する符号化手段をさらに設けるようにさせることができ、出力手段には、量子化手段により量子化された差分データと、符号化された予測画像データとを入力データの符号化データとして出力させるようにすることができる。